(57)【要約】      （修正有）【課題】簡単堅牢構造のサポートアームを直接設けて、健常者は勿論、足腰が弱かったり、障害があったりして、自立が困難な人が小便器を利用する際に前のめりになったり前に倒れたりすることがなく、身体を両足と片手又は両手で支えることを可能にして身体に圧迫を与えず、残尿少なく楽に尿排泄することができると共に尿飛散の無い清潔な便器周囲を維持する男性小便用便器を提供する。【解決手段】男性が立ちながら小便をする縦長便器１００−１において、上部に着脱可能にサポートアームを突設したことを特徴とする男性用小便便器。前記サポートアームは、脚部２０１の下部を縦長便器の上部中央部に螺合して脚部の上部に握りアーム２０２を接続したＴ型サポートアーム２００にしたことを特徴とする。【選択図】図１
0003234192.tif 000002
【実用新案登録請求の範囲】
【請求項１】
男性が立ちながら小便をする縦長便器において、上部にサポートアームを着脱可能に突設したことを特徴とする男性用小便便器。
【請求項２】
前記サポートアームは、脚部の下部を縦長便器の上部中央部に螺合して脚部の上部に握りアームを接続したＴ型サポートアームにしたことを特徴とする請求項１に記載の男性用小便便器。
【請求項３】
前記サポートアームは、一対の脚部を縦長便器の上部両側に螺合し、一対の脚部の上部間に握りアームを形成したコ字型サポートアームにしたことを特徴とする請求項１に記載の男性用小便便器。
【考案の詳細な説明】
【技術分野】
【０００１】  本考案は、小便器を利用する際に身体に圧迫を与えず、前のめりになったり前に倒れたりすることがなく、身体を両足と手で三点支持又は四点支持することを可能にして残尿少なく楽に尿排泄ができる男性小便用便器に関する。
【背景技術】
【０００２】  障害者や高齢者が利用する可能性があるトイレに設置される小便器には、従来、立った状態でバランスが保たれるように、小便器の左右両側部の設置壁にサイド手すりが設けられている。しかし、半身が麻痺した人などは、健常な方の片手でサイド手すりを握って体を支えると、利く方の手がふさがり、用を足しにくい。
そこで、特許文献１等により男性小便用便器が紹介された。この男性小便用便器は図３に示すように、身体を前方に預けて支え、その状態で尿排泄することができるように、便器０１の両側の壁０２に突設支持したパイプ製の一対のサイド手すり０３を設けこのサイド手すり０３にまたがってパイプ製の上部手すり０４を設けたものである。
【先行技術文献】
【特許文献】
【０００３】
【特許文献１】特開２００２−３４５６９１（審査未請求でみなし取り下げ処分）
【考案の開示】
【考案が解決しようとする課題】
【０００４】  しかしながら、特許文献１に記載されている従来の男性小便用便器の設置は、前記手摺りを壁に突設する為しかも構造的に複雑で大きく設置スペースを広く必要として設置工事に多大な労力と費用が掛る。
そこで本考案は、簡単堅牢構造のサポートアームを直接設けて、健常者は勿論、足腰が弱かったり、障害があったりして、自立が困難な人が小便器を利用する際に前のめりになったり前に倒れたりすることがなく、立状態の身体を両足と片手又は両手で支えることを可能にして身体に圧迫を与えず、残尿少なく楽に尿排泄することができると共に尿飛散の無い清潔な便器周囲を維持する男性小便用便器を提供する。
【課題を解決するための手段】
【０００５】  上記課題を満足させる本考案における主な技術構成は、次の（１）〜（３）に記載の通りである。
（１）、男性が立ちながら小便をする縦長便器において、上部に着脱可能にサポートアームを突設したことを特徴とする男性用小便便器。
（２）、前記サポートアームは、脚部の下部を縦長便器の上部中央部に螺合して脚部の上部に握りアームを接続したＴ型サポートアームにしたことを特徴とする前記（１）に記載の男性用小便便器。
（３）、前記サポートアームは、一対の脚部を縦長便器の上部両側に螺合し、一対の脚部の上部間に握りアームを形成したコ字型サポートアームにしたことを特徴とする前記（１）に記載の男性用小便便器。
【考案の効果】
【０００６】  本考案の男性小便用便器は、簡単堅牢構造の前記サポートアームを直接便器に設けて、健常者は勿論、足腰が弱かったり、障害があったりして、自立が困難な人が小便器を利用する際に前のめりになったり前に倒れたりすることがなく、身体を両足と片手又は両手でしっかり支持することを可能にして身体に圧迫を与えず、残尿少なく楽に尿排泄することができるので尿飛散の無い清潔な便器周囲を維持する等の優れた作用効果を呈するものである。
【図面の簡単な説明】
【０００７】
【図１】本考案の男性用小便便器の実施例１を示す斜視説明図ある。
【図２】本考案の男性用小便便器の実施例２を示す斜視説明図である。
【図３】従来の男性用小便便器の例を示す斜視説明図である。
【考案を実施するための形態】
【０００８】本考案を実施するための形態を図１〜図２に示す実施例１と実施例２により詳細に説明する。
【実施例１】
【０００９】  男性が立ちながら小便をする実施例１の縦長便器１００−１は、陶製でありその上部にＴ型サポートアーム２００を着脱可能に突設した男性用小便便器である。
前記Ｔ型サポートアーム２００は、脚部２０１の基部を図示していないが螺合用ボルト部２０１−Ｂに成形し縦長便器１００−１の上部中央部に図示していないが螺合用ボルトを稙設し、この螺合用ボルトと前記基部螺合用ボルト部２０１−Ｂとをナット２０３で螺合接続し、脚部２０１の上部に握りアーム２０２の中央部を接続してＴ型に形成した交換可能なアームである。握りアーム２０２は弾性材で形成した滑り止めのグリップ２０４を張設してある。
前記脚部２０１は垂直にしているが手前に傾斜させてもよい。
このＴ型サポートアーム２００の握りアーム２０２を片手で握り両足との三点支持状態にすれば尿排泄の際、前かがみでも体位を安定させることができるので、他の片手で男性の性器を操作して残尿少なくスムースに尿排泄することができる。このため尿飛散の無い清潔な便器周囲を維持することができる。
【実施例２】
【００１０】  男性が立ちながら小便をする実施例２の縦長便器１００−２は、上部に着脱可能にコ字型サポートアーム３００を突設した男性用小便便器である。
コ字型サポートアーム３００は、一対の脚部３０１の基部を図示していないが螺合用ボルト部３０１−Ｂに成形し、縦長便器１００−２の上部両側に図示していないが螺合用ボルトを稙設し、この螺合用ボルトと前記螺合用ボルト部３０１−Ｂとをナット３０３で螺合接続し、脚部３０１の上部間に握りアーム３０２を接続してコ字型に形成した交換可能なアームである。握りアーム３０２は弾性材で形成した滑り止めのグリップ３０４を張設してある。
このコ字型サポートアーム３００の握りアーム３０２を片手で握り両足との三点支持状態にすれば前かがみでも体位を安定させることができるので、他の片手で男性の性器を操作して残量少なくスムースに尿排泄することができる。このため尿飛散の無い清潔な便器周囲を維持することができる。
【産業上の利用可能性】
【００１１】  本考案は前述の優れた作用効果を呈するため、一般家庭は勿論、便器産業界等に寄与と発展に貢献すること多大なものがある。
【符号の説明】
【００１２】１００−１：縦長便器
２００：Ｔ型サポートアーム
２０１：脚部
２０１−Ｂ：螺合用ボルト部
２０２：握りアーム
２０３：ナット
２０４：グリップ
１００−２：縦長便器
３００：コ字型サポートアーム
３０１：一対の脚部
３０１−Ｂ：螺合用ボルト部
３０２：握りアーム
３０３：ナット
３０４：グリップ
【図１】
0003234192.tif 000003
【図２】
0003234192.tif 000004
【図３】
0003234192.tif 000005